(57)【要約】【課題】既知の多層シースを有するケーブルの剥離プロセスの欠点を回避し、これを最適化および改善する。【解決手段】新規な多層シース（５）を有するケーブル（３）を剥離するための方法では、最初に、少なくとも１つの剥離刃（４，４’）を使用して、剥離装置（６）においてケーブル（３）のシース（５）の初期層（１０）が切断される。これに続いて、レーザ切断装置（８）のレーザ光線を用いて、第１の層の反対側に位置するシース（５）の内層（１１）が切断される。この剥離プロセスは、剥離刃（４，４’）およびレーザ光線（７）を使用して切断されたシース（５）の除去によって完了する。【選択図】図１
2018068099.tif 000002
【特許請求の範囲】
【請求項１】
多層シース（５）を有するケーブル（３）を剥離するための方法であって、ケーブル（３）のシース（５）の少なくとも１つの層（１０）が、機械的に少なくとも部分的に分離され、ケーブル（３）のシース（５）の少なくとも１つの別の層（１１）が、熱分離プロセスで少なくとも部分的に分離されることを特徴とする、方法。
【請求項２】
特に請求項１に記載の多層シース（５）を有するケーブル（３）を剥離するための方法であって、
ａ）レーザ切断装置（８）のレーザ光線を用いて、ケーブル（３）のシース（５）の第１の層（１０）を切断する工程と、
ｂ）少なくとも１つの剥離刃（４，４’）を使用して、第１の層の反対側に位置するシース（５）の内層（１１）を剥離方向（６）に切断する工程と、
ｃ）剥離刃（４，４’）およびレーザ光線（７）を用いて切断されたシース（５）を除去する工程と、
を特徴とする、方法。
【請求項３】
特に請求項１に記載の多層シース（５）を有するケーブル（３）を剥離するための方法であって、
ａ）少なくとも１つの剥離刃（４，４’）を使用して、ケーブル（３）のシース（５）の第１の層（１０）を剥離方向（６）に切断する工程と、
ｂ）レーザ切断装置（８）のレーザ光線を用いて、第１の層の反対側に位置するシース（５）の内層（１１）を切断する工程と、
ｃ）剥離刃（４，４’）およびレーザ光線（７）を用いて切断されたシース（５）を除去する工程と、
を特徴とする、方法。
【請求項４】
工程ｃ）によるシース（５）の除去の前に、工程ａ）または工程ｂ）のうち少なくとも１つが繰り返されることを特徴とする、請求項２または３に記載の方法。
【請求項５】
工程ａ）の後、レーザ光線を用いて切断される層（１１）を露出するために裂け目が生じるように、切断された第１の層（１０）が動かされることを特徴とする、請求項３または４のいずれかに記載の方法。
【請求項６】
工程ａ）と工程ｂ）との間に、移送装置（９）を用いて、ケーブル（３）が剥離装置（６）からレーザ切断装置（８）に移送されることを特徴とする、請求項２から５のいずれか１項に記載の方法。
【請求項７】
工程ｂ）の終了後、移送装置（９）を用いて、ケーブル（３）が剥離装置（６）に戻され、剥離装置（６）の少なくとも１つの剥離刃（４，４’）の移動を用いて、切断されたシース（５）が部分的または完全に除去されることを特徴とする、請求項２から６のいずれか１項に記載の方法。
【請求項８】
切断されたシース（５）の部分的な除去によってスリットが作られ、スリットには、さらなる層（１２）を切断するために、レーザ切断装置（８）のレーザ光線が導入されることを特徴とする、請求項７に記載の方法。
【請求項９】
特に請求項１から８のいずれか１項に記載の方法を実施するための、少なくとも１つの剥離刃（４，４’）を備える剥離装置（６）を有する、多層シース（５）を有するケーブル（３）を剥離するための装置（１）であって、装置（１）がレーザ切断装置（８）を有し、シース（５）の１つまたは複数の層（１０，１１，１２）が、剥離装置（６）またはレーザ切断装置（８）において選択的に切断されることができることを特徴とする、装置（１）。
【請求項１０】
装置（１）が制御装置（１７）を有し、制御装置（１７）が、制御装置（１７）を使用して、剥離装置（６）を用いてケーブル（３）のシース（５）の少なくとも１つの層（１０，１２）を切断するための切断プロセス、およびケーブル（３）のシース（５）の少なくとも異なるまたはさらなる層（１１）を切断するための切断プロセスが、レーザ切断装置（８）によって制御可能であるように、設計され、剥離装置（６）およびレーザ切断装置（８）に接続されることを特徴とする、請求項９に記載の装置（１）。
【請求項１１】
装置（１）が、剥離装置（６）とレーザ切断装置（８）との間でケーブル（３）を移送するための移送装置（９）を有することを特徴とする、請求項９または１０に記載の装置（１）。
【請求項１２】
制御装置（１７）が移送装置（９）に接続され、制御装置（１７）が、剥離装置（６）もしくはレーザ切断装置（８）における切断手順の終了後に、ケーブル（３）を剥離装置（６）からレーザ切断装置（８）に、またはレーザ切断装置（８）から剥離装置（６）に、自動的に供給するように設計されることを特徴とする、請求項１０および１１に記載の装置（１）。
【発明の詳細な説明】
【技術分野】
【０００１】
本発明は、多層シースを有するケーブルを剥離するための方法および装置に関する。
【背景技術】
【０００２】
単純な電気ケーブルは、たとえば電線または１つもしくは複数の撚り線など、少なくとも１つの導体、およびたとえばＰＶＣなどの絶縁被覆を含む。この種のケーブルは、一般に、剥離刃を含む機械的に動作する剥離装置において剥離される。
【０００３】
そのシースが多層で構成されるより複雑なケーブルが、ある種の用途のために使用される。多層シースを有するこのタイプのケーブルが、一例として図２に示される。ケーブル３は、複数の撚り線から構成される電気導体２を有する。電線は、たとえば、プラスチックフィルム１２で覆われている。フィルム１２は、信号ケーブルを作成するための遮蔽膜として設計されることができる。このような遮蔽膜は、銅、アルミニウム、または他の金属で被覆されたプラスチックフィルムから形成されることができる。一般的な遮蔽膜は、約０．０３ｍｍの厚みを有する。さらなる層１１は、たとえばガラス繊維布を備える。ＰＶＣまたは別の電気絶縁弾性原材料の外殻１０が、ケーブル３を保護するために設けられる。実施によれば、多層シースを有するケーブルは、機械的処理を用いて剥離するのが難しいことが分かった。剥離刃を使用してガラス繊維布をきれいに切断することは、ほとんど不可能である。剥離刃を用いた分離の間に、撚り線への望ましくない損傷が生じるおそれがあるため、特にフィルム１２は問題を引き起こす。
【０００４】
多層ケーブルを剥離するための方法は、レーザを使用してケーブルが剥離される米国特許出願公開第２０１５／１６２７２９号明細書から知られている。レーザ光線は、分離切断を行うために、固定ケーブルの周りを回転する。しかしながら、１回の切断で、シースの全ての層を完全かつきれいに切断するようにレーザを調整するのは困難である。交互に、部分的なレーザ切断を行って、このようにして切断されたシースを後で引き抜くことができる。しかしながら、この場合、許容できない汚れが撚り線に残り、これを、たとえばブラシを使用して、費用のかかる後の工程で除去しなければならない。
【先行技術文献】
【特許文献】
【０００５】
【特許文献１】米国特許出願公開第２０１５／１６２７２９号明細書
【発明の概要】
【発明が解決しようとする課題】
【０００６】
本発明の目的は、既知の多層シースを有するケーブルを剥離するためのプロセスの欠点を回避し、これを最適化および改善することである。
【課題を解決するための手段】
【０００７】
この目的は、請求項１の特徴を有する方法により、本発明によって達成される。
【０００８】
剥離されるケーブルは、導体（銅もしくは別の導電性金属で作られた、電線または１つもしくは複数の撚り線など）、および多層シースを含むことができる。しかしながら、ケーブルは、ケーブル導体が多層シースに囲まれた複合ケーブルとすることもできる。以下の手順は、特に丸形ケーブルに好適である。複合丸形ケーブルは、たとえば、円環を形成するシースおよび環状に配置された撚り合わせたケーブルコアを含むその断面が丸いケーブルである。
【０００９】
本発明による多層シースを有するケーブルを剥離するための方法は、ケーブルシースの少なくとも１つの層が、機械的に少なくとも部分的に分離または切り離され、ケーブルシースの少なくとも１つの別の層が、熱分離プロセスで少なくとも部分的に分離または切り離されることを特徴とする。刃または切断刃を使用する切断プロセスは、層の機械的な分離または切り離しに使用されることができるのが好ましい。たとえば、切断のためにケーブルに対して半径方向に並進移動しかしない剥離刃が、機械的な分離に使用される場合、一般に、剥離のためにシースのそれぞれの層を完全に切断することは、ほとんど不可能である。一般に使用される剥離刃は、ケーブルに適合された切断形状（たとえば、Ｖ刃、成形刃）を有するが、ほとんどの場合、分離プロセス後に、層の分離されない領域が残り、これは、最終的には、除去プロセス中に引き裂くことによってようやく除去される。周囲に均一に行き渡る理想的な分離切断は、ここではほとんど不可能である。対照的に、ケーブルの周りを回転する１つまたは複数の剥離刃を使用することにより、部分的にだけでなく、周囲全体にわたって、それぞれの層が分離されることができる。たとえばレーザ切断を用いて、先に述べた熱分離が行われることができる。ケーブルに向けられたレーザ光線は、ケーブル軸を基準にしてケーブルの周りを移動することができ、ケーブルの周りの３６０°未満の１回転の後は、それぞれの層が部分的に分離されるだけであろう。
【００１０】
本方法は、以下の工程、すなわち、レーザ切断装置のレーザ光線を用いて、ケーブルのシースの第１の層を切断する工程と、少なくとも１つの剥離刃を有する剥離装置において、第１の層の反対側のシースの内層を切断する工程と、剥離刃およびレーザ光線を用いて切断されたシースを除去する工程と、を含むことができる。
【００１１】
好ましい変形形態では、本発明による剥離方法は、以下の工程を特徴とする。
【００１２】
工程ａ）において、少なくとも１つの剥離刃を使用して、ケーブルシースの第１の層が剥離方向に切断される。工程ａ）において、シースは完全にではなく部分的に切断されるだけである。上述の第１の層は、通常、ＰＶＣまたは別のプラスチック材料の外側被覆などの、絶縁し、ケーブルを天候から保護するためのシースの最外層である。少なくとも１つの剥離刃は、切り込みを作るために、ケーブルに対して並進移動によって動かされることができる。ケーブルに対して半径方向の移動が、切断プロセスに好ましい。切断プロセス後、少なくとも１つの剥離刃は初期位置に戻されることができる。切断は、シースの第２の層に到達するまで行われるのが好ましく、それぞれの剥離刃の切り込み深さは、示された第１の層の厚さにほぼ対応する。上述の第２の層は、必ずしもシースの最外層（既に述べた外側被覆など）の次の層である必要はない。少なくとも１つの剥離刃を使用して、工程ａ）において同時にまたは連続的に、複数の層が切断されることができる。
【００１３】
工程ｂ）において、レーザ切断装置のレーザ光線を用いて、シースの第１の層の反対側に位置する内層が切断される。レーザ光線を用いて切断される層は、たとえば布地層（図２による布地層１１など）である。この第１の層の反対側に位置する内層は、簡略化のために、「第２の層」と呼ばれる。少なくとも１つの剥離刃を使用して、工程ａ）において同時にまたは連続的に、複数の層が切断される場合、「第２の層」は、示された複数の「第１の層」の次の層であろう。
【００１４】
第２の層の切断のため、ケーブルの方向に向けられたレーザ光線は、ケーブルが静止している間、ケーブルの周りを半径方向に動かすことができる。レーザの回転運動の代わりに、固定レーザ光線を発生するレーザ光源を保持し、ケーブル軸を中心にケーブルを回転させることも考えられる。
【００１５】
工程ｃ）において、剥離刃およびレーザ光線を用いて切断されたシースは、最終的に引き抜かれ、これにより剥離プロセスが終了する。工程ｃ）による除去は、少なくとも１つの剥離刃を、長手方向にケーブルに対して動かすことにより、上述の剥離装置を使用して行われることができる。シースを引き抜くためのこの相対運動には、たとえば、固定ケーブルの場合の１つもしくは複数の剥離刃の移動、または１つもしくは複数の固定剥離刃の場合のケーブルの移動が含まれる。いずれの場合でも、上述の運動モデルの混合型も可能である。
【００１６】
シースの除去後、導体が露出され、または、マルチコアケーブルの場合には、ケーブルコアが露出されて、さらに処理されることができる。たとえば、露出された導体を有する剥離されたケーブル端部は、圧着されることができる。機械的剥離方法およびレーザ剥離方法が有利に組み合わされた、２段階または場合によっては多段階の剥離プロセスのおかげで、多層ケーブルは良質の結果を伴って容易かつ効率的に剥離されることができる。このようにして、良好な剥離結果が達成され、たとえば不完全な切断から生じるおそれがある、ケーブル端部の費用のかかる後処理が不要である。
【００１７】
ケーブルシースが３つ以上の層を有する場合、工程ｃ）によるシースの除去の前に、工程ａ）または工程ｂ）のうち少なくとも１つが繰り返されると有利であり得る。たとえば、少なくとも１つの剥離刃を用いて第１の層が切断された後、およびレーザ光線を用いて第２の層が切断された後、剥離ナイフを用いて第３の層が切断されることができる。交互に、レーザ切断装置のレーザ光線を用いて、第３の層が切断されることもできる。
【００１８】
第３の層は、たとえばフィルム層とすることができる。このフィルムは、１ｍｍ未満の厚みを有することができる。ケーブルが信号ケーブルとして使用される場合、高速データ伝送品質を確保するために、ケーブルは十分に電磁的に遮蔽されなければならず、その結果、たとえば車載電子機器において、ケーブルから放出される電磁波が望ましくない干渉を引き起こすことはできない。ケーブルを遮蔽するために、遮蔽膜が使用されることができる。このタイプの遮蔽膜は、アルミニウム層が塗布された、たとえばＰＥＴなどのプラスチックフィルムを備えることが多い。一般的な遮蔽箔の厚さは約０．３ｍｍである。しかしながら、銅またはアルミニウムなどの金属で全て作られた遮蔽箔も知られている。こうした遮蔽箔は、全金属箔として知られている。
【００１９】
工程ａ）の後、レーザ光線によって切断される第２の層を露出するためにスリットが作られるように、有利には少なくとも１つの剥離刃を用いて切断された第１の層が、ケーブル軸を基準にして長手方向に動かされると有利である。これにより、レーザ切断が精密かつ正確に実施されることができるようになる。
【００２０】
先に述べた工程ａ）および工程ｂ）の間に、ケーブルまたは剥離されるケーブルのケーブル端部は、移送装置を用いて、剥離装置からレーザ切断装置に移送されることができる。ケーブル移送は、たとえば、移動、旋回、および／またはケーブルの長手方向移動によって行われることができる。
【００２１】
特に好ましくは、工程ｂ）の終了後、ケーブルは、移送装置によって剥離装置に戻されることができ、剥離装置の少なくとも１つの剥離刃の長手方向への移動により、層を完全にまたは部分的にのみ切断された切断シースは、完全にまたは部分的に引き抜かれることができる。切断されたシースの部分的な除去によってスリットが作られ、スリットには、さらなる層を切断するために、レーザ切断装置のレーザ光線が導入される。
【００２２】
本発明の別の態様は、特に先に述べた手順を実施するための、多層被覆を有するケーブルを剥離するための装置に関する。本発明による装置は、少なくとも１つの剥離刃を有する剥離装置、およびレーザ切断装置を含む。少なくとも１つの剥離刃を有する上述の剥離装置は、以下において簡略化のために単に「剥離装置」と呼ばれる、機械的に動作する剥離装置である。したがって、シースの１つまたは複数の層が、剥離装置またはレーザ切断装置において選択的に切断されることができる。
【００２３】
剥離装置およびレーザ切断装置は、互いに物理的に分離されることができる。この物理的分離は、たとえば、剥離装置およびレーザ切断装置が、互いに接続されていない別々のケーブル処理機に割り当てられる場合に、あるいは、剥離装置およびレーザ切断装置が、（共通の機械テーブル上の構成などにより、）共通のケーブル処理装置に割り当てられるが、剥離装置およびレーザ切断装置が互いに隣接して配置されるか、または互いに離間している場合に、達成されることができる。
【００２４】
特に後者の場合、装置が、剥離装置とレーザ切断装置との間でケーブルを移送することができる移送装置を有すると、有利であり得る。個々の剥離工程の間にケーブルが移送される必要がないように、剥離装置およびレーザ切断装置を有する特別な剥離ステーションを設けることも考えられるであろう。
【００２５】
たとえば、ケーブルを把持するための把持手段を有する旋回ユニットも、移送装置として使用されることができる。ベルトまたはローラコンベヤなどの長手方向のコンベヤも、移送装置として使用されることができる。
【００２６】
第１の層としての外側被覆、その下に位置する第２の層としての布地層、および第３の層としての可能な布地層または別の補強層を含むケーブルでは、外側被覆は、剥離装置において少なくとも１つの剥離刃を使用して切断され、その後、レーザ切断装置のレーザ光線を用いて切断される。ケーブルシースに応じて、最初にレーザ光線を用いてシースの第１の層を切断し、その後にのみ、少なくとも１つの剥離刃を有する機械的剥離装置を使用して、シースの第２の層を切断することも必要であり得る。本発明による装置を、工程ａ）および工程ｂ）に関して逆の順序で使用して、最初に説明された本発明による方法を実施することも可能であろう。
【００２７】
本装置は、制御装置を有することができ、この制御装置は、制御装置を使用して、剥離装置を用いてケーブルシースの少なくとも１つの層を切断するための切断プロセス、およびレーザ切断装置を用いてケーブルのシースの少なくとも異なるまたはさらなる層を切断するための切断プロセスが制御されることができるように、設計され、剥離装置およびレーザ切断装置に接続される。この構成は、効率のさらなる向上を引き起こす。多層被覆を有するケーブルの剥離は、制御ユニットを用いて簡単に自動化されることができる。
【００２８】
制御装置は、移送装置に接続されることができ、制御装置は、剥離装置もしくはレーザ切断装置における切断手順の終了後に、ケーブルを剥離装置からレーザ切断装置に、またはレーザ切断装置から剥離装置に、自動的に供給するように設計されるのが好ましい。
【００２９】
本発明のさらなる個々の特徴および利点は、以下の例示的な実施形態の説明および各図面から導き出される。
【図面の簡単な説明】
【００３０】
【図１】本発明による多層シースを有するケーブルを剥離するための装置の上面図である。
【図２】剥離されたケーブル端部を持つ三層シースを有するケーブルの拡大側面図である。
【図３】剥離刃を用いて切断されて、裂け目を形成するために動かされた第１の層を備える、二層シースを有するケーブルである。
【図４】レーザ光線を用いて第２の層を切断中の図３のケーブルである。
【図５】剥離刃が後退させられた状態の、第２の層のレーザ切断後のケーブルである。
【図６】完全に剥離されたケーブルおよび剥離刃を用いて分離された二層シースである。
【図７】剥離刃を用いて切断されて、第２の層を露出するための裂け目を形成するために動かされた第１の層を備える、三層シースを有するケーブルである。
【図８】レーザ光線を用いて第２の層を切断中の図７によるケーブルである。
【図９】剥離刃が後退させられた状態の、第２の層のレーザ切断後のケーブルである。
【図１０】第３の層を露出するための裂け目を形成するために第２の層が動かされた後のケーブルである。
【図１１】レーザ光線を用いて第３の層を切断中の図１０によるケーブルである。
【図１２】剥離刃が後退させられた状態の、第３の層のレーザ切断後のケーブルである。
【図１３】完全に剥離されたケーブルおよび剥離刃を用いて分離された三層シースである。
【発明を実施するための形態】
【００３１】
図１は、全体として１として示される、多層ケーブル３を剥離するための装置を示す。装置１は、ベルトコンベヤとして設計された供給ユニット１３を有し、これを用いて、ケーブル３は、基本的に装置１の機械長手方向軸に対応する１５として示された長手方向に沿って、旋回ユニット９に運ばれる。旋回ユニット９は、ケーブル３を把持するための把持手段を有し、この把持手段を使用して、ケーブルを長手方向１５に、６として示された剥離装置まで運ぶことが可能である。
【００３２】
剥離装置６は、ケーブルを定寸切断し、剥離刃（ここでは図示せず）を使用してこれを剥離するための、既知の剥離装置である。このタイプの剥離ステーションは、たとえば、欧州特許出願公開第１５１５４１０号明細書において図示および説明されており、剥離装置６の機能および構造的なデザインについての詳細に関して、この文献を参照する。剥離刃は、Ｖ字形の切断刃を有するＶ刃として設計されることができる。このようなＶ刃は、欧州特許出願公開第１５１５４１０号明細書からも知られている。交互に、剥離刃は、欧州特許出願公開第３８９１０７号明細書から知られているようなＶ刃として設計されることができる。明らかに、異なる切断刃および切断形状を有する刃もまた考えられる。米国特許第６３７０７５９号明細書に開示されているもののような、対向した切断刃を有する剥離刃が、布材、特にガラス繊維強化プラスチックまたは織布の層を分離するために、試行およびテストされる。このタイプの剥離刃は、２つの刃がケーブル方向にあまり強くなく別々に押し付けられるという利点を有する。
【００３３】
機械長手方向軸に配置された剥離装置６とは対照的に、８で示された第２の剥離ステーションは、機械長手方向軸に隣接して配置される。この剥離ステーション８は、レーザ切断装置として設計される。ケーブルのシースは、レーザ光線を用いて少なくとも部分的に切断されることができる。このようなレーザ切断装置８の１つの可能な実施形態の詳細は、たとえば米国特許出願公開第２０１５／１６２７２９号明細書から導かれることができる。
【００３４】
旋回ユニット９は、垂直軸を中心に回転することができる。図１による図示において、旋回ユニット９は、レーザ切断装置８の前の傾斜位置にある。したがって、旋回ユニット９は明らかに、旋回運動でケーブル３を剥離装置６からレーザ切断装置８に移送する（そして当然ながら戻す）ことができる移送装置を形成する。以下の方法において詳細に説明するように、２つの剥離ステーション６および８を用いて、ケーブル３のケーブル前端部が剥離されることができる。ケーブル３のケーブル後端部を剥離するために、第２の旋回ユニット９’および第２のレーザ切断ユニット８’が設けられ、そこでは、既に述べた剥離装置６をケーブル後端部のためにも用いることができる。
【００３５】
剥離ステーション６，８，８’は、図１による例示的な実施形態において、共通の機械テーブルまたはプラットフォーム１６上に配置される。機械テーブルまたは機械プラットフォーム１６は、１つまたは複数の部品として設計されることができる。装置１は、従来のケーブルを組み立てるためのケーブル処理装置（たとえば、欧州特許出願公開第１４４７８８８号明細書を参照）において既に知られ、使用されているような、振動機の方法で実施される。多層ケーブル３を剥離するための装置１は、たとえば、全ての剥離ステーション（６，８，８’）が１つの機械長手方向軸（１５）に沿って配置される、線形移送機として設計されることができる。このタイプの線形移送機は、たとえば欧州特許出願公開第１０７３１６３号明細書から知られている。
【００３６】
図１において、装置１は、示された剥離ステーション６、ならびに８および８’のみを有する。追加の処理ステーションを設けることも考えられるであろう。追加の処理ステーション（ここでは図示せず）は、たとえば、グロメットステーション、圧着ステーション、およびハウジング組立ステーションとすることができる。
【００３７】
装置１は、剥離装置６、レーザ切断装置８、および移送装置としての旋回ユニット９に接続された、制御装置１７を有する。制御装置１７は、剥離装置６およびレーザ切断装置８におけるそれぞれの切断動作を制御する。制御装置１７は、剥離装置とレーザ切断装置との間のケーブルの必要な移送のために、移送装置９をさらに制御する。
【００３８】
図２は、一般に使用される典型的な多層ケーブル３を示す。１つの導体２を囲むケーブル３は、ここでは３つの層から構成される多層シース５を有する。外部から見える外層または層１０は、外側被覆１０である。この外側被覆１０は、ＰＶＣまたは別の可撓性プラスチック材料から作られることができ、ケーブルを絶縁し、天候から保護する働きをする。第１の層１０の反対側の内側に位置する層を意味する次の第２の層は、たとえばガラス繊維布とすることができる布地層１１または別の補強層である。最後に、第３の層は、プラスチック材料からなることができる薄膜１２で形成される。膜１２は、遮蔽箔として設計されることができる。導体２は、ここでは、通常銅またはアルミニウムで作られる複数の撚り線を備える。
【００３９】
本発明による二層シース５を有するケーブル３を剥離するための方法の個々の方法工程が、図３から図６に図示されている。ケーブル３のシース５は、基本的に図２のケーブルの被覆構造に対応するが、図２に示されたケーブルとは異なり、このケーブル３は膜（１２）を欠いている。
【００４０】
二層シース５を有するケーブル３を剥離するための対応する剥離方法は、以下のとおりである。最初に、ケーブル３は、互いに向かって移動することができる剥離装置の２つの剥離刃４および１４によって切断される。それぞれの切り込み深さは、外側被覆１０の厚さに対応するように調整される。切断は、布地層１１により形成された第２の層に到達するまで行われる。切断プロセスのための移動方向は、それぞれ矢印ｅ１で示される。切断後、剥離刃４，１４は、ケーブル３に対して長手方向１５に動かされる。この移動運動は、矢印ｆ１で示される。この移動は、剥離刃４，１４を動かすことにより、および／または（図１に示された旋回ユニット９の把持手段を用いて）ケーブル３を動かすことにより、実施されることができる。外側被覆１０から部分的に引き抜かれた被覆部が、１０’で示される。
【００４１】
この移動によって、スリットが作られて、第２の層１１がほぼスリット幅ｓだけ露出される。スリット幅ｓを有するスリットの作成により、第２の層１１を切断するためにレーザ光線を照射することが可能になる。スリット幅ｓは、処理されるケーブルおよびその寸法に依存し、典型的には０．１ｍｍから１ｍｍである。
【００４２】
剥離装置における外側被覆１０の切断、およびこの切断層または被覆部１０’の制限された移動後、ケーブル３は、移送装置（ここでは図示せず）を用いて、レーザ切断装置８に運ばれることができる。図１に関連して述べた制御装置（１７）は、切断手順の終了後に、ケーブル３を剥離装置６からレーザ切断装置８に自動的に供給するように設計されるのが好ましい。
【００４３】
レーザ切断プロセスは、図４に示される。レーザ切断装置８を用いて、レーザ光線７がケーブル３に対して半径方向に向けられる。ケーブルを回転させることにより、またはケーブル３の周囲にレーザ光線７を発生させるための光源の回転により、円周切断がもたらされ、これにより布地層１１が完全に切り離される。
【００４４】
レーザ光線を用いて第２の層１１を切断した後、剥離刃４，１４が再び使用される。剥離刃４，１４は、距離ｓを置いて互いに離間した外側被覆１０，１０’間の裂け目の中に配置される。図５は、このように配置された剥離刃４，１４を有する剥離装置６を示す。方向ｆ２への剥離刃４，１４の移動により、完全に切断されたシース１０’は導体２から引き抜かれることができる。完全に剥離されたケーブル３の端部が、図６に示される。５’で示されたシースの分離されたスリーブ部は、剥離刃４，１４を動かすことにより、ケーブル３から取り除かれる。スリーブ部５’は、分離された被覆部１０’および第２の層の分離部１１’を備える。
【００４５】
図７から図１３は、図２のケーブルと同じように構成された三層シース５を有するケーブル３を剥離するための方法を示す。図７から図９は、基本的に図３から図５に対応する。最初に、剥離刃４，１４を用いてケーブル３が部分的に切断され、次いで、およそスリット幅ｓ１に部分的に引き抜かれ（図７）、次いで、レーザ光線７を用いて第２の層１１が切断され（図８）、次いで、剥離刃４，１４がスリットに再配置される（図９）。
【００４６】
図３から図６による剥離プロセスとは異なり、剥離刃４，１４は、ここでは長手方向１５の方向（矢印ｆ２）にわずかな距離だけ動かされる。このようにして、第３の層１２が周囲に露出されたスリットが作られる。図１０は、この移動運動後のケーブル３を示す。第３の層１２が周囲に露出されたスリット幅が、図１１にｓ２で示される。
【００４７】
レーザ切断装置がここで再び使用されることができる。レーザ光線７は、ケーブル３の周りを回転運動で動かされ、したがって、膜１２は完全に分離される（図１１）。レーザ光線を用いて第３の層１２を切断した後、剥離刃４，１４は、剥離刃を用いて分離された被覆１０’のショルダを横方向から把持するように配置される（図１２）。ｆ３方向への剥離刃４，１４の移動の結果として、シースは完全に引き抜かれることができる。１３）。スリーブ部５’は、明らかに３つの層、すなわち、被覆部１０’、第２の層の部分１１’、および１２’で示された分離された膜部を備える。
【符号の説明】
【００４８】
１  装置
２  電気導体
３  ケーブル
４、１４  剥離刃
５  多層シース
５’  スリーブ部
６  剥離装置
７  レーザ光線
８  レーザ切断装置
８’  第２のレーザ切断装置
９  旋回ユニット
９’  第２の旋回ユニット
１０  外側被覆（第１の層）
１０’  被覆部
１１  布地層（第２の層）
１１’  分離部
１２  薄膜（第３の層）
１３  供給ユニット
１５  長手方向
１６  機械テーブルまたはプラットフォーム
１７  制御装置
ｅ１、ｆ１、ｆ２、ｆ３  矢印
ｓ、ｓ１、ｓ２  スリット幅
【図１】
2018068099.tif 000003
【図２】
2018068099.tif 000004
【図３】
2018068099.tif 000005
【図４】
2018068099.tif 000006
【図５】
2018068099.tif 000007
【図６】
2018068099.tif 000008
【図７】
2018068099.tif 000009
【図８】
2018068099.tif 000010
【図９】
2018068099.tif 000011
【図１０】
2018068099.tif 000012
【図１１】
2018068099.tif 000013
【図１２】
2018068099.tif 000014
【図１３】
2018068099.tif 000015
【外国語明細書】
2018068099000001.pdf